(57)【要約】【課題】  軸筒への口金の装着を圧入手段を利用することで実現し、製造コストを低減させることができる筆記具を提供すること。【解決手段】  金属製の口金２は先軸３内に圧入され、口金２に形成された大径部２ａは先軸３の内壁に形成された第１の突部３ｂと第２の突部３ｃとの間に係止された構成になされる。前記先軸３に対して後軸４が、互いに形成されたねじ部によって着脱可能に螺合されるように構成されており、これによりリフィールを交換可能にしている。前記先軸３および後軸４は樹脂を射出成形することにより構成され、両者のねじ部は金型に施すことで成形することができる。この構成によると、金属製の口金２の内面にねじ部を切削する二次加工が不要となるので、製造コストを低減させることに寄与できる。【選択図】      図６
2005074932.tif 000002
【特許請求の範囲】
【請求項１】
筆記チップとインク収容管とからなるリフィールと、このリフィールを内部に収納する軸筒とからなる筆記具であって、
前記軸筒は、先端に形成された開口部から筆記チップが突出される口金と、口金の後方に設けられた先軸と、先軸の後方に設けられた後軸とからなり、
前記口金は金属製であり、前記先軸と後軸とは樹脂製であって、前記口金は先軸の先端部に圧入固定されることで先軸に係止され、前記先軸と後軸とは、両者にねじ部を設けることで係止されるとともに内部のリフィールを交換可能としたことを特徴とする筆記具。    
【請求項２】
前記口金は、先軸の内側で係止させたことを特徴とする請求項１記載の筆記具。
【請求項３】
前記口金の外周壁には、外方へ突出した口金前方側突部と口金後方側突部とが設けられ、前記先軸の内壁には、軸方向に所定の間隔をおいてそれぞれ内方に向かって突出した第１の突部と、第２の突部とが設けられ、
前記先軸内壁に形成された第１および第２の突部との間に、口金の外周壁に設けられた前記口金前方側突部と口金後方側突部が圧入され、前記第１の突部に口金前方側突部が接触し、かつ前記第２の突部に口金後側突部が接触した状態で、前記口金が先軸に係止されたことを特徴とする請求項２記載の筆記具。
【請求項４】
前記第１の突部と第２の突部との間には、先軸の後方から前方に向かって高さが減少する傾斜部が形成されているとともに、その最大高さは先軸の後方側に形成された前記第２の突部の高さよりも低いことを特徴とする請求項３記載の筆記具。
【請求項５】
前記先軸の内壁に形成された第１の突部または第２の突部は、周方向に間隔をおいて形成されていることを特徴とする請求項３または請求項４記載の筆記具。
【発明の詳細な説明】
【技術分野】
【０００１】
この発明は、金属製の口金を先軸の先端部に圧入固定させるとともに、先軸と後軸とを互いに螺合可能に構成し、先軸と後軸とを分離することで筆記チップとインク収納管からなるリフィールを交換可能にした筆記具に関する。
【背景技術】
【０００２】
例えばボールペンに代表される筆記具においては、その外装を構成する軸筒は、そのほとんどが樹脂を射出成形することにより製造されている。そして、この種の筆記具の多くは、高級感を醸し出すために軸筒の先端部には光沢のある金属製の口金を着脱可能に取り付けた構成とされ、前記口金を軸筒から取り外すことにより、筆記チップとインク収納管からなるリフィールを交換することができるように構成されている。
【０００３】
前記した構成の筆記具においては、一般に軸筒の先端部にはその外周面にねじが施され、口金の内周面にも軸筒の前記ねじに螺合されるねじが施されて、軸筒に対して口金が着脱可能に取り付けられる構成が採用されている（例えば特許文献１参照）。
【特許文献１】特開２００２−３３７４９６号公報（段落００１３および図１、図２）
【発明の開示】
【発明が解決しようとする課題】
【０００４】
ところで、前記した構成の筆記具においては、金属製の口金の内周面にねじを施す必要があり、このように口金の内周面に施されるねじは、口金の成形後に切削加工（２次加工）によって成形せざるを得ない。したがって、この２次加工が製造コストに反映するという問題を抱えている。これに加えて、口金の内周面にねじを切削加工によって施すためには、その口金の肉厚もある程度大きく設定する必要があり、この点も製造コストを下げることができない要因となっている。
【０００５】
それ故、この発明は軸筒の先端部に金属製の口金を配置することで、筆記具としての高級感を醸し出させるとともに、前記したように口金の内周面にねじを施すことによる製造コスト上の問題点を解消させることができる筆記具を提供することを解決課題とするものである。
【課題を解決するための手段】
【０００６】
前記した課題を解決するためになされたこの発明にかかる筆記具は、請求項１に記載のとおり、筆記チップとインク収容管とからなるリフィールと、このリフィールを内部に収納する軸筒とからなる筆記具であって、前記軸筒は、先端に形成された開口部から筆記チップが突出される口金と、口金の後方に設けられた先軸と、先軸の後方に設けられた後軸とからなり、前記口金は金属製であり、前記先軸と後軸とは樹脂製であって、前記口金は先軸の先端部に圧入固定されることで先軸に係止され、前記先軸と後軸とは、両者にねじ部を設けることで係止されるとともに内部のリフィールを交換可能とした点に特徴を有する。
【０００７】
また、この発明にかかる筆記具における前記口金は、請求項２に記載のとおり、先軸の内側で係止させた構成とされる。この場合の一つの好ましい実施の形態においては請求項３に記載のとおり、前記口金の外周壁には、外方へ突出した口金前方側突部と口金後方側突部とが設けられ、前記先軸の内壁には、軸方向に所定の間隔をおいてそれぞれ内方に向かって突出した第１の突部と、第２の突部とが設けられ、前記先軸内壁に形成された第１および第２の突部との間に、口金の外周壁に設けられた口金前方側突部と口金後方側突部が圧入され、前記第１の突部に口金前方側突部が接触し、かつ前記第２の突部に口金後側突部が接触した状態で、前記口金が先軸に係止された構成になされる。
【０００８】
一方、この発明にかかる筆記具は、請求項４に記載のとおり、先軸の内壁に形成された前記第１の突部と第２の突部との間には、先軸の後方から前方に向かって高さが減少する傾斜部が形成されているとともに、その最大高さは先軸の後方側に形成された突部の高さよりも低くなされていることが望ましい。さらに請求項５に記載のとおり、前記先軸の内壁に形成された第１の突部または第２の突部は、好ましくは周方向に間隔をおいて形成された構成とされる。
【発明の効果】
【０００９】
前記した請求項１に記載の筆記具によると、金属製の口金は圧入固定により先軸の先端部に係止された構成になされるので、従来のこの種の筆記具のように、口金の内側にねじを切削加工させるような二次加工を削減することができる。また、筆記チップとインク収納管からなるリフィールを交換することを可能にするために、前記先軸と後軸との間には互いに螺合可能なねじ部を施す必要はあるものの、樹脂成形による前記先軸と後軸の各ねじ部は、それぞれの成形用金型に予めねじ部を施すことで容易に形成させることが可能である。したがって、この種の筆記具の製造コストを低減させることに寄与できる。
【００１０】
また、請求項２に記載の筆記具によると、前記先軸の内側において口金を係止させる構成としたので、ユーザがこの係止部に触れる機会を無くすことができ、不必要に口金が先軸から外される等の問題を避けることができる。また、この口金の係止手段として請求項３に記載した構成を採用することで、先軸の軸方向に対する口金の移動を確実に阻止させることが可能となり、商品価値の高い筆記具を提供することができる。
【００１１】
さらに、請求項４に記載の筆記具によると、先軸内に形成された第１と第２の突部との間には、先軸の後方から前方に向かって高さが減少する傾斜部が形成されているので、口金を圧入するにしたがって、先軸に対する口金のがたつきを抑えることができ、先軸の軸方向に直交する方向に口金がぐらつくのを（遊びが発生するのを）効果的に抑制させることができる。そして、傾斜部の最大高さを先軸の後方側に形成された突部の高さよりも低く構成することで、前記突部が先軸内の口金の後退を効果的に阻止させることができる。
【００１２】
さらにまた、先軸内壁の形成にあたっては、一般に内壁に対応する部分にコアピンが挿入されることで、先軸が射出成形されることになるが、請求項５に記載の筆記具によると、前記先軸の内壁に形成された第１の突部または第２の突部は、周方向に間隔をおいて形成されるので、円環状の突部を成形した場合に比較して、成形後における前記コアピンの引き抜き時の抵抗を遥かに緩和させることができる。したがって、先軸を射出成形するにあたっても、その作業を円滑に遂行することが可能となる。
【発明を実施するための最良の形態】
【００１３】
以下、この発明にかかる筆記具について、図に示す実施の形態に基づいて説明する。まず、図１はこの発明にかかる筆記具をボールペンに適用した場合の形態を縦断面図によって示したものである。この筆記具（ボールペン）１の外郭を構成する軸筒は、先端に配置された金属製の口金２と、この口金２の後方において前記口金２を支持する合成樹脂製の先軸３と、この先軸３の後方において前記先軸３に対して着脱可能に取り付けられた合成樹脂製の後軸４より構成されている。
【００１４】
前記した構成の軸筒内には筆記チップ５と、インク収容管６等を備えたリフィールが収容され、後で詳細に説明するように前記筆記チップ５の先端が、前記口金２の先端部に形成された開口部から突出された構成にされている。そして、この実施の形態においては、前記リフィールを構成する筆記チップ５とインク収容管６とは、この間に介在された継ぎ手部材７によって連結され、また、インク収容管６の末端部には尾栓８が装着されている。さらに、前記インク収容管６内には周知のとおりインク９が収容されるとともに、インクの後端にはインクの減少に追従して移動可能なグリース状のフォロア１０が充填されている。
【００１５】
図２は前記した先軸３の構成を拡大して示した縦断面図である。この図２に示すように、先軸３の先端部はその内径を若干縮径した縮径部３ａになされている。そして、この縮径部３ａによって内周面に形成された段部３ｂと、この段部３ｂの若干後方に形成され、軸芯方向に突出した突部３ｃとにより、前記口金２を係止することができるように構成されている。
【００１６】
なお、この実施の形態においては、前記縮径部３ａによって形成された段部３ｂを第１の突部（符号は同じく３ｂで示す）と称し、また、この第１の突部よりも後方に形成された前記突部３ｃを第２の突部と称することにする。そして、前記第１および第２の突部３ｂ，３ｃを含む先軸３の先端部近傍の構成、すなわち図２に示すＡ部分の構成は、図４に基づいて後で詳しく説明する。
【００１７】
また、前記先軸３の先端部付近の周囲には、例えば二色成形法を利用してグリップ用の摩擦部材３ｅが層状に成形されている。さらに、先軸３の後端部における内壁面には、ねじ部３ｆが形成されており、このねじ部３ｆを利用して先軸３の後端部に、前記した後軸４を螺合することができるように構成されている。
【００１８】
次に、図３は前記した後軸４の構成を拡大して示した縦断面図である。この後軸４は、その後端部が砲弾状に形成されて閉塞され、後軸４のグリップ部４ａを構成している。そして、グリップ部４ａに隣接した先端部側は、その外形が若干縮径され、その外周面にはねじ部４ｂが形成されている。このねじ部４ｂが前記した先軸３の内壁面に形成されたねじ部３ｆに螺合されることで、後軸４が先軸３の後端部に対して着脱可能に取り付けられるようになされ、前記した筆記チップ５とインク収容管６等を備えたリフィールを交換することができるように構成されている。
【００１９】
そして、前記ねじ部４ｂのさらに先端部側は比較的長尺の軸長を持った円筒部４ｃになされ、この円筒部４ｃは先軸３の内周面に沿って挿入される。したがって、このボールペンの組み上げ状態においては、前記したリフィールにおけるインク収容管６は、前記した後軸４における円筒部４ｃ内に収容される。
【００２０】
また、前記した後軸４におけるねじ部４ｂと円筒部４ｃとの境界部付近には、軸方向に直交する対向位置に一対の貫通孔４ｄが形成されており、これにより後軸４の内外における空気交換を可能にし、前記したリフィール７におけるインクの減少にしたがった空気交換が実現されるようになされる。
【００２１】
図４は前記した図２に示すＡ部分の構成、すなわち先軸３の先端部近傍の構成をさらに拡大して示したものである。この図４に示すように先軸３の先端部近傍には、前記したとおり、縮径部３ａによって形成された第１の突部３ｂと、この第１の突部よりも後方に第２の突部３ｃが形成されている。そして、図４に示す破線は、先軸３の先端に向かって内径がわずかに小さくなるテーパー状の内周面を示しており、この破線との比較で明らかなように、前記第１の突部３ｂと第２の突部３ｃとの間には、先軸３の後方から前方に向かって高さが減少する傾斜部３ｄが形成されている。そして、前記傾斜部３ｄの最大高さは、先軸３の後方側に形成された前記第２の突部３ｃの高さよりも若干低い程度に成形されている。
【００２２】
この実施の形態においては、前記したように破線で示す先軸３の内周面が、先端に向かって内径がわずかに小さくなるテーパー状に形成されているのに対して、前記した傾斜部３ｄの面は前軸３の軸芯にほぼ平行となるように構成されている。この構成によると、前記傾斜部３ｄを構成する面がアンダーカットになるのを防ぐことができ、射出成形において十分な生産性を確保することができる。なお、前記傾斜部３ｄは、破線で示した先軸の内周面に対して、相対的に傾斜していればよい。したがって、破線で示した先軸の内周面が前軸３の軸芯にほぼ平行となるように形成し、先軸の先端に進むにしたがい、傾斜部３ｄが縮径するように構成されていてもよい。
【００２３】
また、この実施の形態においては、先軸３の内壁に形成された前記第２の突部３ｃは、図２に示されたように周方向に間隔をおいて形成されるとともに、前記傾斜部３ｄも同様に周方向に間隔をおいて、軸方向に沿ったリブ状に形成されている。より具体的には図２に示されたように、第２の突部３ｃと傾斜部３ｄとは、周方向にほぼ９０度の間隔をおいて、４か所において形成されている。
【００２４】
これは、先軸３を射出成形するに際し、先軸３の内壁に対応する部分にコアピン（図示せず）が挿入されるようになされるが、先軸の内壁に形成される第２の突部３ｃは、周方向にほぼ９０度の間隔をおいて形成されるので、円環状の突部を成形した場合に比較すると、先軸３の成形後における前記コアピンの引き抜き時の抵抗を遥かに緩和させることができる。したがって、前記した構成とすることにより先軸３の射出成形を円滑に行なうことができる。
【００２５】
なお、この実施の形態においては、第１の突部３ｂは、先軸３における縮径部３ａによって形成されているので、特に周方向に間隔をおいて形成されてはいないが、第１の突部３ｂの配置構成の如何によっては、前記第１の突部３ｂにおいても周方向に間隔をおいて形成させる手段を採用することができる。
【００２６】
次に図５は、前記した口金２の構成を拡大して示したものであり、その左半部は断面図により、また右半部は正面図で示している。この口金２は、前記したとおり表面に光沢のある金属により構成されており、合成樹脂製の先軸３内の先端部において、先軸３内に圧入固定されるものである。このために、この口金２はその後端部が大径部２ａに、またその中央が管状部２ｂに、先端部２ｃが前記管状部２ｂに連なる裁頭円錐形状になされ、前記大径部２ａが先軸３内において圧入固定されるように作用する。そして、裁頭円錐形状になされた先端部２ｃにおいて開口部２ｄが形成され、この開口部２ｄを介して図１に示す如く筆記チップ５が突出されるように構成されている。
【００２７】
ここで、この実施の形態においては、口金２の大径部２ａから中央の管状部２ｂに繋がる大径部前方側の段部を、口金前方側突部２ｅと称呼し、大径部２ａの後端部を口金後方側突部２ｆと称呼することにする。この口金前方側突部２ｅと口金後方側突部２ｆは、前記口金を先軸３の後端部開口から挿入し、先軸３の前方に向かって圧入した場合に、すでに説明した先軸３内に形成された第１および第２の突部３ｂ，３ｃとの間に嵌合され、口金２が先軸３内において軸方向に移動するのを阻止させるように作用する。
【００２８】
図６および図７は、前記したように先軸３内に対して口金２が圧入された状態を示している。すなわち、図６は組み上げた状態における筆記具（ボールペン）１の先端部付近を拡大して示した断面図であり、また図７は図６におけるＢ部分をさらに拡大して示した断面図である。図６および図７に示すように、口金２は先軸３内への圧入により、口金前方側突部２ｅと口金後方側突部２ｆが、先軸３内に形成された第１の突部３ｂと第２の突部３ｃとの間に圧入される。そして、口金前方側突部２ｅが先軸３内に形成された第１の突部３ｂに接し、口金後方側突部２ｆが先軸３内に形成された第２の突部３ｃに接する。これにより、前記したとおり、口金２は先軸３内において軸方向への移動が阻止される。
【００２９】
一方、図７に示すように前記口金２に形成された大径部２ａは、当該口金２の圧入により、先軸３内に形成された前記傾斜部３ｄに接した状態になされる。この場合、前記傾斜部３ｄは図２に基づいて説明したとおり、周方向にほぼ９０度の間隔をおいて形成されており、しかも先軸３内に形成された第２の突部３ｃに向かって、傾斜が高くなるように形成されている。したがって、口金２に形成された前記大径部２ａは、前記傾斜部３ｄによって周方向の４か所で支持され、この時、円筒状に形成された大径部２ａ周側壁は、その弾力により各傾斜部３ｄに密着する。したがって、先軸３の軸方向に直交する方向に口金２のぐらつき（遊び）が発生するのを効果的に抑えることができる。
【００３０】
なお、図６に示すように前記したリフィールを構成する筆記チップ５には、周知のとおり筆記用の先端ボール５ａが回転自在に抱持されている。そして、この実施の形態においては図６に示すように、筆記チップ５とインク収容管６との間には継ぎ手部材７が介在され、この継ぎ手部材７内にはボール弁７ａが収容されて、弁室７ｂが形成されている。この構成により、上向き筆記を行なった場合に、筆記チップ５内に空気が流入するのを防止できるようになされる。
【００３１】
また、前記継ぎ手部材７には、図７に示すように軸に直交する方向に平面状の鍔部７ｃが形成されている。この鍔部７ｃはこの筆記具を組み上げる場合において、口金２における前方側突部２ｅの内面側に当接し、リフィールの挿入により口金２を前軸３の所定の位置に圧入させるように機能する。また、筆記具が組み上げられた状態においては、前記鍔部７ｃは口金２の前方側突部２ｅの内面側に当接した状態を維持し、口金２からの筆記チップ５の突出量が所定の範囲に規定されるように作用する。
【００３２】
図８は、この発明にかかる筆記具の第２の実施の形態を示したものであり、組み上げた状態における筆記具（ボールペン）の先端部付近を断面図で示したものである。なお、この図８は、この発明にかかる筆記具の第１の形態を示す図６と同様の構成部分を示したものである。そして図８においては、すでに説明した各部に相当する部分を同一符号で示しており、したがって重複する説明は省略する。
【００３３】
この図８に示す実施の形態においては、図６に示した構成に比較すると、口金２に形成された大径部２ａの軸方向の長さが短縮されている。したがって、この構成によると口金２の大径部２ａにより、軸方向に直交する方向に口金２のぐらつき（遊び）が発生するのを抑えるという作用を期待することができない。この様な問題を解消するために、図８に示す実施の形態においては、先軸３の先端部内面に突部３ｇが形成され、この突部３ｇによって口金２のほぼ中央部付近を押さえるように構成されている。この構成により口金２は、大径部２ａと前記中央部付近においてそれぞれ先軸３によって支持され、軸方向に直交する遊びが発生するのを効果的に抑えることができる。
【００３４】
なお、以上説明した実施の形態においては、前記口金２は先軸３の先端部内側において圧入固定されているが、前記口金は先軸先端部の外側に圧入固定させるように構成されていてもよい。また、実施の形態においては、前記した後軸４には、比較的長尺の軸長を持った円筒部４ｃが一体に形成されているが、後軸４の形態は前記した長尺の円筒部４ｃを除き、例えば砲弾状に形成されたグリップ部４ａとねじ部４ｂからなる比較的短尺の構成にされていてもよい。
【図面の簡単な説明】
【００３５】
【図１】この発明にかかる筆記具をボールペンに適用した場合の第１の形態を示す縦断面図である。
【図２】図１に示す筆記具の外郭を構成する先軸の拡大断面図である。
【図３】図１に示す筆記具の外郭を構成する後軸の拡大断面図である。
【図４】図２に示す先軸におけるＡ部分をさらに拡大して示した断面図である。
【図５】図１に示す筆記具において用いられた口金の構成を拡大して示した一部断面図である。
【図６】図１に示す筆記具の先端部付近を拡大して示した断面図である。
【図７】図６に示すＢ部分をさらに拡大して示した断面図である。
【図８】この発明にかかる筆記具の第２の形態を示す先端部付近の断面図である。
【符号の説明】
【００３６】
１    筆記具（ボールペン）
２    口金
２ａ  大径部
２ｄ  開口部
２ｅ  口金前方側突部
２ｆ  口金後方側突部
３    先軸
３ｂ  第１の突部
３ｃ  第２の突部
３ｄ  傾斜部
３ｆ  ねじ部
４    後軸
４ｂ  ねじ部
５    筆記チップ
５ａ  先端ボール
６    インク収容管
７    継ぎ手部材
８    尾栓
【図１】
2005074932.tif 000003
【図２】
2005074932.tif 000004
【図３】
2005074932.tif 000005
【図４】
2005074932.tif 000006
【図５】
2005074932.tif 000007
【図６】
2005074932.tif 000008
【図７】
2005074932.tif 000009
【図８】
2005074932.tif 000010